(57)【特許請求の範囲】
【請求項１】
室内空気の吸込み口と吹出し口とを開設したハウジング内に、循環ファンと、バーナと、バーナの燃焼排ガスを内部に流す熱交換器とが収納され、循環ファンの作動で吸込み口から吸込まれた室内空気を熱交換器で加熱して、吹出し口から温風として送風する温風暖房機において、
熱交換器をハウジング内で支持する支持板を備え、この支持板に放熱フィンが設けられていることを特徴とする温風暖房機。
【請求項２】
前記放熱フィンは、その板面が前記循環ファンからの空気の流れ方向に対し斜交するように設けられることを特徴とする請求項１記載の温風暖房機。
【請求項３】
前記放熱フィンは、前記支持板に形成した切起し片で構成されることを特徴とする請求項１又は２記載の温風暖房機。
【発明の詳細な説明】
【技術分野】
【０００１】
本発明は、バーナの燃焼排ガスにより熱交換器を介して室内空気を加熱する温風暖房機に関する。
【背景技術】
【０００２】
従来、この種の温風暖房機として、室内空気の吸込み口と吹出し口とを開設したハウジング内に、循環ファンと、バーナと、バーナの燃焼排ガスを内部に流す熱交換器とが収納され、循環ファンの作動で吸込み口から吸込まれた室内空気を熱交換器で加熱して、吹出し口から温風として送風するものが知られている(例えば、特許文献１参照)。
【０００３】
このような温風暖房機は、特許文献１には開示されていないものの、熱交換器をハウジング内で支持する支持板を備えている。従来、支持板は単純な板材で構成され、一般的に、ハウジング内面にねじ止めされている。
【０００４】
ところで、バーナを燃焼させると熱交換器は相当高温になり、支持板を介して熱交換器からの熱が支持板をねじ止めしたハウジングの部分に伝達され、この部分が熱くなってしまう。
【先行技術文献】
【特許文献】
【０００５】
【特許文献１】特開２００３−１２１００４号公報
【発明の概要】
【発明が解決しようとする課題】
【０００６】
本発明は、以上の点に鑑み、支持板を介しての伝熱によるハウジングの温度上昇を抑制し、且つ、熱効率も向上し得るようにした温風暖房機を提供することをその課題としている。
【課題を解決するための手段】
【０００７】
上記課題を解決するために、本発明は、室内空気の吸込み口と吹出し口とを開設したハウジング内に、循環ファンと、バーナと、バーナの燃焼排ガスを内部に流す熱交換器とが収納され、循環ファンの作動で吸込み口から吸込まれた室内空気を熱交換器で加熱して、吹出し口から温風として送風する温風暖房機において、熱交換器をハウジング内で支持する支持板を備え、この支持板に放熱フィンが設けられていることを特徴とする。
【０００８】
本発明によれば、熱交換器から支持板に伝達された熱が放熱フィンから放熱され、ハウジングに支持板を介して伝達される熱量が減少して、ハウジングの温度上昇が抑制される。同時に、支持板の周りに流れる空気が放熱フィンからの放熱で加熱されるため、熱効率も向上する。
【０００９】
また、本発明において、放熱フィンは、その板面が循環ファンからの空気の流れ方向に対し斜交するように設けられることが望ましい。これによれば、放熱フィンと空気流との間での熱交換が効率的に行われ、ハウジングへの伝達熱量の減少と空気の加熱とを促進できる。
【００１０】
また、本発明において、放熱フィンは、支持板に形成した切起し片で構成されることが望ましい。これによれば、支持板と別体の放熱フィンを支持板に固定するものと異なり、部品点数を削減してコストダウンを図ることができ、更に、放熱フィンの切起し跡の穴で支持板の伝熱面積が狭められ、ハウジングへの伝達熱量が一層減少する。
【図面の簡単な説明】
【００１１】
【図１】本発明の実施形態の温風暖房機の斜視図。
【図２】実施形態の温風暖房機の切断側面図。
【図３】図２のＩＩＩ−ＩＩＩ線で切断した切断正面図。
【図４】図３のＩＶ−ＩＶで切断した要部の拡大切断平面図。
【図５】要部の斜視図。
【発明を実施するための形態】
【００１２】
図１乃至図３を参照して、１は本発明の実施形態の温風暖房機のハウジングを示している。ハウジング１は、背面板部１１と左右の側板部１２と天板部１３と底板部１４とで構成される箱型の本体と、本体の前面を覆う前面パネル１５とで構成されている。そして、背面板部１１の上部に室内空気の吸込み口１ａを開設すると共に、前面パネル１５の下部に吹出し口１ｂを開設している。
【００１３】
また、ハウジング１の天板部１３には、操作パネル１６が設けられている。更に、ハウジング１の背面板部１１の外面には、屋外にのびる図外の給排気ダクトと後述する排気筒５３及び燃焼ファン６との間の配管空間を囲うガード枠１７が取り付けられている。
【００１４】
ハウジング１内の上部には循環ファン２が収納されている。循環ファン２は、吸込み口１ａに臨むファンケーシング２１内に配置され、モータ２２で駆動される横長のクロスフローファンで構成されている。
【００１５】
また、ハウジング１内には、ファンケーシング２１と吹出し口１ｂとを結ぶ通風路３が画成されている。通風路３は、背面板部１１と、図３で左側の側板部１２の内側に設けた第１横仕切り板３１と、ファンケーシング２１の図３の右端部から下方に伸びる第２横仕切り板３２と、吹出し口１ｂの下端よりも若干下方に設けた下仕切り板３３と、ファンケーシング２１の前縁から下方に伸びる前仕切り板３４とで囲われている。
【００１６】
ハウジング１内には、更に、ガスバルブユニット４１とこれに連なるパイプ４２とを介して燃料ガスを供給する筒型のバーナ４が第２横仕切り板３２の下部を貫通するように収納されると共に、通風路３内に位置して、バーナ４の燃焼排ガスを内部に流す熱交換器５が収納されている。そして、循環ファン２の作動で吸込み口１ａから吸込まれた室内空気が熱交換器５で加熱され、吹出し口１ｂから温風として室内に送風されるようにしている。
【００１７】
また、ハウジング１内には、給排気ダクトの給気ダクト部からの外気をバーナ４に燃焼用空気として供給する燃焼ファン６が収納されている。燃焼ファン６は、ハウジング１の背面板部１１に固定のファンケーシング６１内に配置した、モータ６２で駆動される遠心ファンで構成されている。また、下仕切り板３３の下側に、水を入れた加湿皿７が配置されており、下仕切り板３３に開設した開口３３ａを通して温風に水蒸気が供給されるようにしている。そして、吹出し口１ｂより下方の前面パネル１５の下端部分１５ａを着脱自在とし、加湿皿７を取り出して水を補給できるようにしている。
【００１８】
前記熱交換器５は、バーナ４から図３で左方に伸びる燃焼筒５１と、燃焼筒５１よりも上方に横設した蛇腹状の熱交換筒５２と、燃焼筒５１と熱交換筒５２との間に横設した排気筒５３とを備えている。そして、燃焼筒５１の下流端たる左端と熱交換筒５２の上流端たる左端とをボックス５４を介して連通させると共に、熱交換筒５２の下流端たる右端と排気筒５３の上流端たる右端とをボックス５５を介して連通させ、燃焼排ガスが燃焼筒５１とボックス５４と熱交換筒５２とボックス５５とを介して排気筒５３に流れるようにしている。排気筒５３の下流端は背面板部１１を通してハウジング１の背面に突出し、給排気ダクトの排気ダクト部に接続される。
【００１９】
ここで、熱交換器５は、支持板８によってハウジング１内に支持される。この支持板８は、図４、図５に示す如く、第１横仕切り板３１に切起しで形成した固定部３１ａにねじ８１ａで締結される前板部８１と、前板部８１の横方向内方の縁部から後方に折り曲げられ、熱交換器５のボックス５４の外側面にねじ８２ａで締結される側板部８２とを有する。前板部８１の横方向外方の縁部には、第１横仕切り板３１の固定部３１ａの切起し跡の穴を閉塞するフランジ部８３が曲成されている。また、側板部８２の後縁部には、ハウジング１の背面板部１１に当接するフランジ部８４が曲成されている。そして、背面板部１１に設けたフック部１１ａにフランジ部８４をこれに形成した係止孔８４ａにおいて係止させている。
【００２０】
ところで、このままでは、熱交換器５からの熱が支持板８を介して第１横仕切り板３１や背面板部１１に伝達され、ハウジング１が熱くなってしまう。
【００２１】
そこで、本実施形態では、支持板８の前板部８１及び側板部８２に夫々複数の放熱フィン８５を設けている。これによれば、熱交換器５から支持板８に伝達された熱が放熱フィン８５から放熱され、ハウジング１に支持板８を介して伝達される熱量が減少して、ハウジング１の温度上昇が抑制される。同時に、支持板８の周りに流れる空気が放熱フィン８５からの放熱で加熱される。即ち、支持板８が熱交換部材として有効に機能し、熱効率も向上する。
【００２２】
ここで、各放熱フィン８５は、その板面が循環ファン２からの空気の流れ方向(上下方向)に対し斜交するように設けられている。そのため、放熱フィン８５と空気流との間での熱交換が効率的に行われ、ハウジング１への伝達熱量の減少と空気の加熱とを促進できる。
【００２３】
尚、放熱フィン８５を支持板８とは別体の板部材で形成し、支持板８に放熱フィン８５を溶接等で固定することも可能である。然し、これでは、部品点数が増してコストが高くなる。
【００２４】
そこで、本実施形態では、放熱フィン８５を支持板８に形成した切起し片で構成している。これによれば、別体の放熱フィンが不要になって、コストダウンを図ることができる。更に、放熱フィン８５の切起し跡の穴８５ａで支持板８の伝熱面積が狭められる。そのため、ハウジング１への伝達熱量が一層減少し、ハウジング１の温度上昇を一層効果的に抑制できる。
【００２５】
以上、本発明の実施形態について図面を参照して説明したが、本発明はこれに限定されない。例えば、上記実施形態では、屋外からの外気をバーナ４に燃焼用空気として供給しているが、バーナ４に室内空気を燃焼用空気として供給することも可能である。
【符号の説明】
【００２６】
１…ハウジング、１ａ…吸込み口、１ｂ…吹出し口、２…循環ファン、４…バーナ、５…熱交換器、８…支持板、８５…放熱フィン。
【図１】
0005385062.tif 000002
【図２】
0005385062.tif 000003
【図３】
0005385062.tif 000004
【図４】
0005385062.tif 000005
【図５】
0005385062.tif 000006